(57)【要約】【課題】スムーズに加工部材を切断して高精度な切断を行うことができるスライド式卓上切断機の提供。【解決手段】保持部３１Ａには、モータ４１と、ローラ４２と、モータ４１の出力軸とローラ４２との間に設けられたワンウェイクラッチとを有するアシスト機構４０が設けられている。モータ４１の出力軸はスライドバー３２Ｂと垂直な位置関係をなし、ローラ４２はモータ４１の出力軸と同軸的に配置され、ローラ４２の周面はスライドバー３２Ｂの外周に当接している。ワンウェイクラッチは、スライドバー３２Ｂが保持部３１Ａに対して後方向に摺動しているときには、ローラ４２とモータ４１の出力軸とを駆動連結する。逆に、スライドバー３２Ｂが前方向に摺動しているときには、モータ４１の出力軸とローラ４２との間の駆動連結が遮断される。【選択図】図１
2008272893.tif 000002
【特許請求の範囲】
【請求項１】
モータと、
載置面を有し加工部材を載置可能なベース部と、
該モータの回転により回転する切断刃を回転可能に支持し該ベース部の該載置面に対して近接・離間するように揺動可能な切断部と、
該ベース部に支持され、該切断部を揺動可能に支持すると共に該切断部を該切断刃の側面に沿った方向に移動させる切断部支持部とを備え、
該切断部支持部には、切断時に該切断刃の側面に沿った方向における該切断部の移動をアシストするアシスト機構が設けられていることを特徴とするスライド式卓上切断機。
【請求項２】
該アシスト機構は、該切断部を該切断刃の側面に沿った方向に移動するように付勢するモータを有することを特徴とする請求項１記載のスライド式卓上切断機。
【請求項３】
該アシスト機構は、該切断部を該切断刃の側面に沿った方向に移動するように付勢するフライホイールを有することを特徴とする請求項１記載のスライド式卓上切断機。
【請求項４】
該切断部支持部は、一端側が該ベース部に支持され他端側に第１摺動支持部を有するホルダと、一端側において該切断部を支持するとともに、該切断刃の側面に沿った方向に該第１摺動支持部に摺動可能に支持されたスライドバーと、を有し、
該アシスト機構は、該第１摺動支持部に設けられ該切断刃の側面に沿った方向に該スライドバーを付勢可能であることを特徴とする請求項１乃至請求項３記載のいずれか一記載のスライド式卓上切断機。
【請求項５】
該切断部支持部は、一端側において該ベース部に支持され他端側には支持部を有するホルダと、一端側が該支持部に支持され該切断刃の側面に沿った方向に指向するスライドバーと、該スライドバーに対して摺動可能に支持されると共に該切断部を揺動可能に支持する第２摺動支持部とを有し、
該アシスト機構は、該第２摺動支持部に設けられ、該スライドバーに対して該第２摺動支持部を摺動させるように付勢可能であることを特徴とする請求項１乃至請求項３記載のいずれか一記載のスライド式卓上切断機。
【請求項６】
該切断部は、該アシスト機構の駆動を開始させるスイッチを備えるハンドルを有することを特徴とする請求項１又は請求項２記載のスライド式卓上切断機。
【請求項７】
該切断部が所定の角度以上揺動され且つ該切断部の該切断刃の側面に沿った方向における移動の開始を検出することにより該アシスト機構の駆動を開始させるアシスト機構駆動開始手段を備えることを特徴とする請求項１又は請求項２記載のスライド式卓上切断機。
【発明の詳細な説明】
【技術分野】
【０００１】
本発明は、切断刃を有する切断部を、切断刃の側面に沿った方向へ移動させることにより加工部材を切断するスライド式卓上切断機に関する。
【背景技術】
【０００２】
ベース部上に加工部材を載置して切断刃を上下に揺動させることにより加工部材を切断する電動工具たるスライド式卓上切断機が従来より知られている。図１１に示されるように、スライド式卓上切断機１００１はベース部１１１０とヘッド部たる切断部１１５０とを有しており、ベース部１１１０を構成するターンテーブル１１１３上面１１１０Ａには加工部材たる木材Ｗが設置される。切断部１１５０にはモータ１１５３と、丸のこ刃１１５４と、モータ１１５３と丸のこ刃１１５４とを駆動連結するベルト１１５７とを備えており、モータ１１５３により駆動される丸のこ刃１１５４が回転することで木材Ｗが切断されるように構成されている。
【０００３】
切断部１１５０は、切断部支持部１１３０によって支持されている。切断部支持部１１３０はホルダ１１３１と一対のパイプ１１３２Ｂ、１１３２Ｂと揺動支持部１１３２とを有しており、ホルダ１１３１は、一端側においてベース部に支持され他端側には保持部１１３１Ａを有する。一対のパイプ１１３２Ｂ、１１３２Ｂは、一端側において切断部１１５０を支持し他端側において保持部１１３１Ａに摺動可能に支持され丸のこ刃１１５４の側面に沿った方向へ指向して平行に配置されている。揺動支持部１１３２は、一対のパイプ１１３２Ｂ、１１３２Ｂの他端側に固定され、切断部１１５０を揺動可能に支持する。この構成により、切断部支持部１１３０は、切断部１１５０とパイプ１１３２Ｂ、１１３２Ｂとを一体で、丸のこ刃１１５４の側面に沿った方向に移動させるように支持すると共に切断部１１５０を揺動可能に支持する。このような構成のスライド式卓上切断機１００１は、例えば特開平９−１６９００７号公報（特許文献１）に記載されている。
【０００４】
木材Ｗの切断の際には、作業者は図１１の状態となっているスライド式卓上切断機１００１の切断部１１５０のハンドル１１５５を持ち、作業者手前側、即ち図１１における右方向に切断部１１５０をスライド移動させる。そして図１２の位置まで移動させた後に、ハンドル１１５５に設けられたスイッチ１１５５Ａを握りモータ１１５３を駆動させ、丸のこ刃１１５４を回転させる。そしてハンドル１１５５を図１２における下方に揺動させることで、回動軸１１３２Ｄを中心に切断部１１５０が回動下降し、木材Ｗを丸のこ刃１１５４により切断し始める。
【０００５】
次に、図１３に示されるように、切断部１１５０の回動が下死点まで到達した後に作業者はハンドル１１５５を奥側、即ち図１３における左方向へ押込むことで切断部１１５０をスライド移動させながら切断作業を続ける。そして、作業者が図１４に示される最左端まで切断部１１５０を押し終わった時点で木材Ｗの切断が終了し、作業者はスイッチ１１５５Ａを開放し、モータ１１５３及び丸のこ刃１１５４の動作を停止させる。
【特許文献１】特開平９−１６９００７号公報
【発明の開示】
【発明が解決しようとする課題】
【０００６】
前記した従来のスライド式卓上切断機１００１では、やわらかい加工部材Ｗを切断する際には切削抵抗が小さいが、硬い加工部材Ｗを切断する際には切削抵抗が大きくなり、作業者が無意識のうちにハンドル１１５５に力を入れてしまいがちになる。作業者はスライド移動させる方向にのみ力を加えることは困難であり、丸のこ刃１１５４の側面に略垂直な方向である横方向にも力が加わってしまうことになる。更に、作業者が横方向の荷重を一定に保つことは非常に困難であり、荷重が大きくなったり小さくなったりを繰り返すことになる。この結果、横方向への荷重の変動、即ち横荷重の変動により切断刃たる丸のこ刃１１５４の横方向（丸のこ刃１１５４の側面に対し垂直な方向）へのたわみの変動が発生し、加工部材Ｗの切断面が波を打った様な形状になってしまい、加工精度の低下を招くことがあった。
【０００７】
そこで本発明は、スムーズに加工部材を切断して高精度な切断を行うことができるスライド式卓上切断機を提供することを目的とする。
【課題を解決するための手段】
【０００８】
上記目的を達成するために、本発明は、モータと、載置面を有し加工部材を載置可能なベース部と、該モータの回転により回転する切断刃を回転可能に支持し該ベース部の該載置面に対して近接・離間するように揺動可能な切断部と、該ベース部に支持され、該切断部を揺動可能に支持すると共に該切断部を該切断刃の側面に沿った方向に移動させる切断部支持部とを備え、該切断部支持部には、切断時に該切断刃の側面に沿った方向における該切断部の移動をアシストするアシスト機構が設けられているスライド式卓上切断機を提供している。
【０００９】
切断部支持部には、切断時に切断刃の側面に沿った方向における切断部の移動をアシストするアシスト機構が設けられているため、作業者が無意識のうちにハンドルに強い力を入れてしまうことを防止することができ、作業者が無意識のうちに切断刃に対して横方向、即ち切断刃の側面に沿った方向に垂直の方向に力を加えてしまうことによる切断刃のたわみの変動を極力抑えることができる。このため、高精度な切断作業を行うことができる。
【００１０】
ここで、該アシスト機構は、該切断部を該切断刃の側面に沿った方向に移動するように付勢するモータを有することが好ましい。アシスト機構は、切断部を切断刃の側面に沿った方向に移動するように付勢するモータを有するため、モータの回転力により切断部の移動をアシストすることができる。
【００１１】
また、該アシスト機構は、該切断部を該切断刃の側面に沿った方向に移動するように付勢するフライホイールを有することが好ましい。アシスト機構は、切断部を切断刃の側面に沿った方向に移動するように付勢するフライホイールを有するため、電力の供給のための構成等が不要になり、簡単な構成で切断部の移動をアシストすることができる。
【００１２】
また、該切断部支持部は、一端側が該ベース部に支持され他端側に第１摺動支持部を有するホルダと、一端側において該切断部を支持するとともに、該切断刃の側面に沿った方向に該第１摺動支持部に摺動可能に支持されたスライドバーと、を有し、該アシスト機構は、該第１摺動支持部に設けられ該切断刃の側面に沿った方向に該スライドバーを付勢可能であることが好ましい。
【００１３】
また、該切断部支持部は、一端側において該ベース部に支持され他端側には支持部を有するホルダと、一端側が該支持部に支持され該切断刃の側面に沿った方向に指向するスライドバーと、該スライドバーに対して摺動可能に支持されると共に該切断部を揺動可能に支持する第２摺動支持部とを有し、該アシスト機構は、該第２摺動支持部に設けられ、該スライドバーに対して該第２摺動支持部を摺動させるように付勢可能であることが好ましい。
【００１４】
また、該切断部は、該アシスト機構の駆動を開始させるスイッチを備えるハンドルを有することが好ましい。切断部は、アシスト機構の駆動を開始させるスイッチを備えるハンドルを有するため、切断部を揺動させた状態を維持するためにハンドルを握ったままで、アシスト機構を駆動開始させることができる。更に、ハンドルに切断刃を回転させるモータを駆動させるためのスイッチを設けておくことで、ハンドルを握ったままで切断刃を回転させながらアシスト機構を駆動開始させることができる。
【００１５】
また、該切断部が所定の角度以上揺動され且つ該切断部の該切断刃の側面に沿った方向における移動の開始を検出することにより該アシスト機構の駆動を開始させるアシスト機構駆動開始手段を備えることが好ましい。
【００１６】
切断部が所定の角度以上揺動され且つ切断部の切断刃の側面に沿った方向における移動の開始を検出することによりアシスト機構の駆動を開始させるアシスト機構駆動開始手段を備えるため、作業者が切断を開始すると同時に、自動的に切断部の移動のアシストを開始することができる。
【発明の効果】
【００１７】
以上により、本発明は、スムーズに加工部材を切断して高精度な切断を行うことができるスライド式卓上切断機を提供することができる。
【発明を実施するための最良の形態】
【００１８】
本発明の第１の実施の形態にかかるスライド式卓上切断機について図１から図３に基づき説明する。図１に示されるように、スライド式卓上切断機１はスライド機構を備え、ベース部１０と、切断部支持部３０と、切断部５０とから主に構成されている。
【００１９】
ベース部１０は、加工部材である木材Ｗを載置するための載置面たる上面１０Ａと、切断部支持部３０との連結箇所となるピン１１とを備えて構成されている。このピン１１は、その軸方向が上面１０Ａと平行になるように構成されており、ピン１１の軸方向においてピン１１に対して加工部材たる木材Ｗが載置される場所側を前側とし、前側の反対側を後側と定義する。また上面１０Ａの上方を上側、上側の反対側を下側と定義する。また、前後方向に垂直且つ上下方向に垂直の方向を左右方向と定義し、図１の紙面の裏側から表側へ向かう方向を左方向と定義し、図１の紙面の表側から裏側へ向かう方向を右方向と定義する。
【００２０】
ベース部１０はベース１２とターンテーブル１３とを有している。ターンテーブル１３は平面視でベース１２の中央に埋設されており、ターンテーブル１３はベース１２により水平方向へ回転自在、即ち、略鉛直方向へ指向する回転軸を中心に回転自在に支持されている。ターンテーブル１３の上面は、ベース１２の上面と同一面となっており、ターンテーブル１３の上面及びベース１２の上面はベース部１０の上面１０Ａを構成する。
【００２１】
ベース１２上面には、木材Ｗの側面を支持する一対のフェンス１４、１４が、所定の距離で離間して左右方向、即ち、図１の紙面の表側と裏側とを結ぶ方向に一直線上に延出して立設されている。ターンテーブル１３の上面中央であって一対のフェンス１４、１４の間の位置には、後述のように切断刃たる丸のこ刃５４が下方に揺動したときに、ターンテーブル１３上面よりも下方へ侵入可能な図示せぬ溝が形成されている。
【００２２】
切断部支持部３０は、図１に示されるようにホルダ３１と、揺動支持部３２とから主に構成されている。ホルダ３１はその一端がベース部１０にピン１１で支持されて、上面１０Ａの上方に延出して設けられている。よって切断部支持部３０は、ピン１１を傾動軸としてベース部１０の上面１０Ａに対して傾動可能となっている。ホルダ３１の他端には、後述のスライドバー３２Ｂを保持する保持部３１Ａが設けられている。この構成により、後述のように下方へ揺動した丸のこ刃５４とベース部１０の上面１０Ａとが交差する交差線と略平行な方向に揺動支持部３２が移動可能に保持されている。保持部３１Ａは第１摺動支持部に相当する。
【００２３】
保持部３１Ａにはアシスト機構４０が設けられている。アシスト機構４０は、モータ４１と、ローラ４２と、モータ４１の出力軸とローラ４２との間に設けられた公知の図示せぬワンウェイクラッチとを有しており、これらは、保持部３１Ａに設けられた保持部収容部３１Ｂに収容されている。モータ４１の出力軸は後述のスライドバー３２Ｂと垂直な位置関係で配置されており、ローラ４２はモータ４１の出力軸と同軸的に配置され、ローラ４２の周面は後述のスライドバー３２Ｂの外周に当接している。
【００２４】
図示せぬワンウェイクラッチは、モータ４１が回転しスライドバー３２Ｂが保持部３１Ａに対して後方向、即ち、図１の左方向に摺動しているときには、ローラ４２とモータ４１の出力軸とを駆動連結してトルクが伝達可能となる。逆に、スライドバー３２Ｂが前方向、即ち、図１の右方向に摺動しているときには、モータ４１の出力軸とローラ４２との間の駆動連結が遮断されてトルクが伝達不能となるように構成されている。
【００２５】
モータ４１は電線４３を介して切断部５０側から電源が供給されるように構成されている。木材Ｗの切断時に図１の左方向へ切断部５０がスライドバー３２Ｂと一体で移動しているときに、図示せぬワンウェイクラッチがモータ４１の出力軸とローラ４２とを駆動連結した状態となり、モータ４１の回転がローラ４２に伝達されてローラ４２が回転し、ローラ４２の回転によりスライドバー３２Ｂが保持部３１Ａに対して図１の左方向へ摺動するように付勢されて、丸のこ刃５４の側面に沿った方向における切断部５０の移動をアシストすることができるように構成されている。
【００２６】
このため、作業者が無意識のうちに後述のハンドル５５に強い力を入れてしまうことを防止することができ、作業者が無意識のうちに丸のこ刃５４に対して横方向、即ち丸のこ刃５４の側面に沿った方向に垂直の方向に力を加えてしまうことによる丸のこ刃５４のたわみの変動を極力抑えることができる。このため、高精度な切断作業を行うことができる。
【００２７】
逆に、作業者が切断部５０及びスライドバー３２Ｂを前方向、即ち、図１の右方向へ移動させるときには、ワンウェイクラッチによるモータ４１の出力軸とローラ４２との間の駆動連結が遮断された状態となり、作業者は、モータ４１による抵抗を受けずに切断部５０及びスライドバー３２Ｂを小さな力で移動させることができる。
【００２８】
保持部３１Ａの前端部、後端部には、それぞれ前センサ３３、後センサ３４が設けられている。前センサ３３は、切断部５０が最も後方位置に接近したときに後述の揺動支持部３２のホルダ３２Ａに接近し、最も後方位置に近づいたことを検出可能であり、後センサ３４は、切断部５０が最も前方位置に接近したときに後述のスライドバー３２Ｂの最後端に設けられた端部保持部材３５に接近し、最も前方位置に近づいたことを検出可能である。前センサ３３、後センサ３４、及びモータ４１は、図示せぬ制御手段に接続されており、これらの検出をすることにより、後述のスイッチ５５Ｂが押圧され続けていても、モータ４１を自動的に駆動停止する制御が行われるように構成されている。
【００２９】
揺動支持部３２は、ホルダ３２Ａと、一対のスライドバー３２Ｂ、３２Ｂとから主に構成されている。ホルダ３２Ａは、その後端にスライドバー３２Ｂ、３２Ｂが設けられており、スライドバー３２Ｂ、３２Ｂは、左右方向において平行且つ軸方向が丸のこ刃５４の側面に沿った方向に指向して配置され保持部３１Ａにより摺動可能に担持されている。よって揺動支持部３２は、保持部３１Ａを支持箇所として前後方向にスライド可能となっている。なお、図１等においては、スライドバー３２Ｂは１本のみ現れている。
【００３０】
スライドバー３２Ｂの後端には、一対のスライドバー３２Ｂ、３２Ｂを掛渡すようにして、端部保持部材３５が設けられている。ホルダ３２Ａは、上部に腕部３２Ｃを有しており、保持ピン３２Ｄによって後述のように切断部５０を揺動可能に軸支している。また腕部３２Ｃと切断部５０との間にはバネ３２Ｅが設けられており、このバネ３２Ｅが腕部３２Ｃに対して切断部５０を上方に付勢している。
【００３１】
切断部５０は、フレーム５１と、カバー５２と、モータ５３と、丸のこ刃５４とから主に構成されている。フレーム５１は、その後端部分でホルダ３２Ａに保持ピン３２Ｄにより、ベース部１０の載置面に対して近接・離間するように腕部３２Ｃに対して揺動可能に軸支されている。丸のこ刃５４は、図１に示されるスライド式卓上切断機１の状態で、フレーム５１に回転軸が前後方向と直交するように切断部５０において回転可能に設けられており、丸のこ刃５４の回転軸には、当該回転軸と同軸的に丸のこ刃５４と一体回転可能なギヤ５４Ａが設けられている。また、カバー５２は、この丸のこ刃５４の略上部を覆うようにフレーム５１に設けられている。
【００３２】
図２に示されるように、切断部５０を揺動して上面１０Ａに近接させた状態で、カバー５２の前側には、切断時の把握箇所となるハンドル５５が設けられており、ハンドル５５にはモータ５３を回転させるためのスイッチ５５Ａと、モータ４１を回転させるためのスイッチ５５Ｂとが設けられている。またカバー５２の後方側には、カバー５２内に入った切削屑であって丸のこ刃５４と木材Ｗとの当接位置で発生する切削屑が流入する図示せぬ流入口と切削屑が排出される排出口５６Ａとが形成された流入排出部５６が設けられている。流入排出部５６の排出口５６Ａには、図示せぬダストバッグ等を装着可能であり、流入排出部５６に流入した切削屑を収容可能である。
【００３３】
モータ５３はフレーム５１の上部内に設けられている。モータ５３の出力軸にはプーリ５３Ｂが出力軸と一体回転可能に設けられており、プーリ５３Ｂには長円状をなすベルト５７の一端が掛けられている。ベルト５７の他端は、モータ５３の出力軸に平行に回転軸が指向しフレーム５１に回転可能に支承されたギヤ５８に設けられたプーリ５８Ａに掛けられている。プーリ５８Ａは、ギヤ５８と同軸的な位置関係で、ギヤ５８と一体回転可能に設けられている。ギヤ５８は、丸のこ刃５４のギヤ５４Ａと噛合している。この構成により、モータ５３が駆動することにより、ベルト５７が回転し、ギヤ５８が回転することによりギヤ５４Ａが回転し、丸のこ刃５４を回転させるように構成されている。
【００３４】
カバー５２の下部であって後方側位置には、ダストガイド６０が丸のこ刃５４の後方下部に対向して設けられており、丸のこ刃５４と木材Ｗとの当接位置で発生する切削屑をカバー５２内に導入する。
【００３５】
木材Ｗの切断の際には、作業者はスライド式卓上切断機１の切断部５０のハンドル５５を持ち、図１の位置から作業者手前側に切断部５０をスライド移動させる。次に、ハンドル５５に設けられたスイッチ５５Ａを握りモータ５３を駆動させ、丸のこ刃５４を回転させる。そしてハンドル５５を図１における下方に揺動させることで、図２に示されるように回動軸３２Ｄを中心に切断部５０が回動下降し、木材Ｗを丸のこ刃５４により切断し始める。
【００３６】
次に、図２に示されるように切断部５０の回動が下死点まで到達した後に、作業者はハンドル５５を奥側、即ち図２における左方向へ押込むことで切断部５０をスライド移動させながら切断作業を続ける。このときスライドバー３２Ｂは保持部３１Ａに対して後方へ移動しているため、図示せぬワンウェイクラッチによりモータ４１の出力軸とローラ４２との間は駆動連結された状態となっている。そこで作業者はスイッチ５５Ｂを押圧し、モータ４１を駆動させてアシスト機構４０を駆動開始させる。このことにより、モータ４１の回転によりスライドバー３２Ｂが丸のこ刃５４の側面に沿った方向であって後方向へ摺動するようにローラ４２が回転して付勢し、モータ４１の回転力により切断部５０及びスライドバー３２Ｂのスライド移動をアシストしながら、木材Ｗを切断することができる。
【００３７】
また、切断部５０は、アシスト機構４０の駆動を開始させるスイッチ５５Ｂを備えるハンドル５５を有するため、切断部５０を揺動させた状態を維持するためにハンドル５５を握ったままで、アシスト機構４０を駆動開始させることができる。更に、丸のこ刃５４を回転させるモータ５３を駆動させるためのスイッチ５５Ｂがハンドル５５に設けられているため、ハンドル５５を握ったままで丸のこ刃５４を回転させながらアシスト機構４０を駆動開始させることができる。
【００３８】
そして、作業者が最左端まで切断部５０を押し終わった時点で木材Ｗの切断が終了し、作業者はスイッチ５５Ａ及びスイッチ５５Ｂを開放し、モータ４１、モータ５３、及び丸のこ刃５４の動作を停止させる。
【００３９】
次に、本発明の第２の実施の形態にかかる電動工具について図４及び図５に基づき説明する。第２の実施の形態によるスライド式卓上切断機１０１は、一対のスライドバー１３２Ｂが鉛直方向上下に軸心が位置する関係で配置され、その一端がホルダ１３１に対して摺動不能にホルダ１３１に支持固定され、スライドバー１３２Ｂに対して摺動可能な第２摺動支持部１３２を有する点、及びスライドバー１３２Ｂに対する第２摺動支持部１３２の摺動をアシストするアシスト機構１４０が第２摺動支持部１３２に設けられている点で、第１の実施の形態とは異なる。これら以外の構成については、第１の実施の形態と同一であり、第１の実施の形態と同一の部材については同一の符号を付して説明する。
【００４０】
一対のスライドバー１３２Ｂ、１３２Ｂの一端はホルダ１３１の保持部１３１Ａに固定され、他端には、一対のスライドバー１３２Ｂ、１３２Ｂを掛渡すようにして端部保持部材１３５が設けられている。端部保持部材１３５と保持部１３１Ａとの間には、第２摺動支持部１３２のホルダ１３２Ａがスライドバー１３２Ｂに対して摺動可能に設けられている。
【００４１】
より具体的には、ホルダ１３２Ａには、図５に示されるように一対の貫通孔１３２ａ、１３２ａが形成されており、一対の貫通孔１３２ａ、１３２ａを一対のスライドバー１３２Ｂ、１３２Ｂがそれぞれ貫通している。よってホルダ１３２Ａを有する第２摺動支持部１３２は前後方向、即ち、図４の左右方向にスライド可能となっている。ホルダ１３２Ａは、その下部に腕部１３２Ｃを有しており、保持ピン３２Ｄによって後述のように切断部５０を揺動可能に軸支している。また腕部１３２Ｃと切断部５０との間にはバネ３２Ｅが設けられており、このバネ３２Ｅが腕部１３２Ｃに対して切断部５０を上方に付勢している。
【００４２】
第２揺動支持部１３２のホルダ１３２Ａにはアシスト機構１４０が設けられている。アシスト機構１４０は、第１の実施の形態と同様に、モータ１４１と、ローラ１４２と、モータ１４１の出力軸とローラ１４２との間に設けられた公知の図示せぬワンウェイクラッチとを有しており、これらは、第２揺動支持部１３２に設けられたホルダ収容部１３２Ｇに収容されている。アシスト機構１４０の構成及び作用効果は、第１実施の形態のアシスト機構４０と同様であるが、モータ１４１は、スライドバー１３２Ｂに対して切断部５０及びホルダ１３２Ａを後方である図４の左方向へ摺動するように付勢している点が、第１の実施の形態とは異なる。
【００４３】
また、図４に示されるように、第２揺動支持部１３２の前端部、後端部には、第１の実施の形態と同様に、それぞれ前センサ１３３、後センサ１３４が設けられている。前センサ１３３は、切断部５０が最も前方位置に接近したときに端部保持部材１３５に接近し、最も前方位置に近づいたことを検出可能であり、後センサ１３４は、切断部５０が最も後方位置に接近したときに保持部１３１Ａに接近し、最も後方位置に近づいたことを検出可能である。前センサ１３３、後センサ１３４、及びモータ１４１は、図示せぬ制御手段に接続されており、これらの検出をすることにより、スイッチ５５Ｂが押圧され続けていても、モータ１４１を駆動停止する制御を行うことができるように構成されている。
【００４４】
本発明によるスライド式卓上切断機は、上述した実施の形態に限定されず、特許請求の範囲に記載した範囲で種々の変形や改良が可能である。例えば、本実施の形態ではアシスト機構４０、１４０はモータ４１、１４１を有していたが、モータ４１、１４１に限定されない。例えば、他の動力を発生させる構成、例えばバネやゼンマイ等であってもよいし、フライホイール等を用いてもよい。
【００４５】
第１の実施の形態によるスライド式卓上切断機１にフライホイール２４１を有するアシスト機構２４０を用いた構成のスライド式卓上切断機２０１としては、例えば、図６、図７に示されるように、フライホイール２４１は保持部収容部２３１Ｂ内に収容されており、保持部収容部２３１Ｂにより回転可能に支承されている。保持部２３１Ａの前端部、後端部には、それぞれ前ダンパ１３３、後ダンパ１３４が設けられている。前ダンパ１３３は、切断部５０が最も後方に位置したときに、揺動支持部３２のホルダ３２Ａに当接可能であり、後ダンパ１３４は、切断部５０が最も前方に位置したときに、スライドバー３２Ｂの最後端に設けられた端部保持部材３５に当接可能である。
【００４６】
フライホイール２４１の回転軸の一端側には、図７に示されるようにローラ２４２が同軸的に配置されており、本実施の形態と同様に図示せぬワンウェイクラッチを介してフライホイール２４１とローラ２４２とは駆動連結可能に構成されている。図示せぬワンウェイクラッチはスライドバー３２Ｂが保持部２３１Ａに対して後方向、即ち、図６の左方向に摺動しているときには、フライホイール２４１とローラ２４２とを駆動連結してフライホイール２４１の回転によるトルクをローラ２４２へ伝達可能となる。逆に、スライドバー３２Ｂが前方向、即ち、図６の右方向に摺動しているときには、フライホイール２４１とローラ２４２との間の駆動連結が遮断されてトルクが伝達不能となるように構成されている。
【００４７】
このため、木材Ｗの切断時に図６の左方向へ切断部５０が移動しているときに、ワンウェイクラッチがフライホイール２４１とローラ２４２とを駆動連結した状態となり、フライホイール２４１の回転がローラ２４２に伝達されてローラ２４２が回転し、ローラ２４２の回転によりスライドバー３２Ｂが保持部２３１Ａに対して図１の左方向へ摺動するように付勢して、丸のこ刃５４の側面に沿った方向における切断部５０の移動をアシストすることができるように構成されている。逆に、作業者が切断部５０及びスライドバー３２Ｂを前方向、即ち、図６の右方向へ移動させるときには、ワンウェイクラッチによるフライホイール２４１とローラ２４２との間の駆動連結が遮断された状態となり、作業者は、フライホイール２４１の慣性力による抵抗を受けずに切断部５０及びスライドバー３２Ｂを小さな力で移動させることができる。
【００４８】
このように、アシスト機構２４０が切断部５０を丸のこ刃５４の側面に沿った方向に移動するように付勢するフライホイール２４１を有する構成とすることで、モータへ電力の供給のための構成等が不要になり、簡単な構成で切断部５０の移動をアシストすることができる。また、加工部材が例えば木材Ｗであり、比較的硬いふしの部分と比較的やわらかいふしのない部分とを有する場合には、ふしのない部分を切断しているときにフライホイール２４１に蓄えられた慣性力を、硬いふしの部分を切断しているときに利用することができる。また、図７に示されるようなフライホイール２４１に限定されず、図８に示されるような、回転軸の半径方向の長さが小さく、回転軸方向に長いフライホイール３４１を用いることも可能である。
【００４９】
同様に、第２の実施の形態によるスライド式卓上切断機１０１にフライホイール４４１を有するアシスト機構４０を用いた構成のスライド式卓上切断機４０１としては、例えば、図９、図１０に示されるように、フライホイール４４１はホルダ収容部４３２Ｇ内に収容されている。
【００５０】
第２揺動支持部４３２の前端部、後端部には、それぞれ前ダンパ４３３、後ダンパ４３４が設けられている。前ダンパ４３３は、切断部５０が最も前方に位置したときに、端部保持部材１３５に当接可能であり、後ダンパ４３４は、切断部５０が最も後方に位置したときに、第２揺動支持部４３２に当接可能である。フライホイール４４１は、ホルダ収容部４３２Ｇにより回転可能に支承されている。フライホイール４４１の回転軸の一端側にローラ４４２が同軸的に配置されており、本実施の形態と同様に図示せぬワンウェイクラッチを介してフライホイール４４１とローラ４４２とは駆動連結可能に構成されている。
【００５１】
図示せぬワンウェイクラッチはスライドバー１３２Ｂに対して第２摺動支持部４３２が後方向、即ち、図９の左方向に摺動しているときには、フライホイール４４１とローラ４４２とを駆動連結してフライホイール４４１の回転によるトルクをローラ４４２へ伝達可能となる。逆に、スライドバー１３２Ｂに対して第２摺動支持部４３２が前方向、即ち、図９の右方向に摺動しているときには、フライホイール４４１とローラ４４２との間の駆動連結が遮断されてトルクが伝達不能となるように構成されている。
【００５２】
また、上述した実施の形態においてモータ４１、１４１を駆動させるためにスイッチ５５Ｂを押圧したが、このようなスイッチ５５Ｂを設けずに、自動的にモータ４１、１４１が駆動開始するようにしてもよい。例えば、切断部５０の揺動角度を検出するセンサと、切断刃たる丸のこ刃５４の側面に沿った方向における切断部５０の移動の開始を検出するセンサと、これらのセンサとモータ４１、１４１とに接続された制御手段とを設け、切断部５０が所定の角度以上揺動され且つ切断刃たる丸のこ刃５４の側面に沿った方向における切断部５０の移動の開始を検出することによりアシスト機構の駆動を開始させるようにしてもよい。これらのセンサと、センサからの信号によりアシスト機構を駆動開始させる制御手段とは、アシスト機構駆動開始手段に相当する。このような構成とすれば、作業者が切断を開始すると同時に、自動的に切断部５０の移動のアシストを開始することができる。
【図面の簡単な説明】
【００５３】
【図１】本発明の第１の実施の形態に係るスライド式卓上切断機を示す左側面図。
【図２】本発明の第１の実施の形態に係るスライド式卓上切断機を示す左側面図。
【図３】本発明の第１の実施の形態に係るスライド式卓上切断機を示す左側面図。
【図４】本発明の第２の実施の形態に係るスライド式卓上切断機を示す左側面図。
【図５】本発明の第２の実施の形態に係るスライド式卓上切断機のアシスト機構を示す要部断面図。
【図６】本発明の第１の実施の形態に係るスライド式卓上切断機の変形例を示す左側面図。
【図７】本発明の第１の実施の形態に係るスライド式卓上切断機の変形例のアシスト機構を示す要部断面図。
【図８】本発明の第１の実施の形態に係るスライド式卓上切断機の他の変形例のアシスト機構を示す要部断面図。
【図９】本発明の第２の実施の形態に係るスライド式卓上切断機の変形例を示す左側面図。
【図１０】本発明の第２の実施の形態に係るスライド式卓上切断機の変形例のアシスト機構を示す要部断面図。
【図１１】従来のスライド式卓上切断機を示す左側面図。
【図１２】従来のスライド式卓上切断機を示す左側面図。
【図１３】従来のスライド式卓上切断機を示す左側面図。
【図１４】従来のスライド式卓上切断機を示す左側面図。
【符号の説明】
【００５４】
１・・・スライド式卓上切断機  １０・・・ベース部  ３０・・・切断部支持部  ３１・・・ホルダ  ３１Ａ・・・保持部  ３２・・・揺動支持部  ３２Ｂ、１３２Ｂ・・・スライドバー  ４０、１４０・・・アシスト機構  ４１、１４１・・・モータ  ４２、１４２、４４２・・・ローラ  ５０・・・切断部  ５４・・・丸のこ刃  ５５・・・ハンドル  ５５Ｂ・・・スイッチ  １３２・・・第２摺動支持部  ２４１、３４１、４４１・・・フライホイール  Ｗ・・・木材
【図１】
2008272893.tif 000003
【図２】
2008272893.tif 000004
【図３】
2008272893.tif 000005
【図４】
2008272893.tif 000006
【図５】
2008272893.tif 000007
【図６】
2008272893.tif 000008
【図７】
2008272893.tif 000009
【図８】
2008272893.tif 000010
【図９】
2008272893.tif 000011
【図１０】
2008272893.tif 000012
【図１１】
2008272893.tif 000013
【図１２】
2008272893.tif 000014
【図１３】
2008272893.tif 000015
【図１４】
2008272893.tif 000016